(57)【特許請求の範囲】
【請求項１】
画面に地図を表示する地図表示手段と、
画面の基準点を中心に、方向を示す方向線と、基準点を中心とする複数の等距離円と、各等距離円が示す基準点からの距離とを表示する方向距離マーク表示手段と、
前記方向距離マーク表示手段で方向距離マークを表示している時、画面にタッチした指示地点を、前記方向距離マーク上の方向と基準点からの距離を示す地点として検出する指示地点検出手段とを備え、
前記方向距離マーク表示手段は、各等距離円が示す基準点からの距離の表示を、基準点から遠ざかる程、各等距離円間の距離が長くなるように表示し、
前記地図表示手段では、前記指示地点検出手段で検出した地点を含む地図を表示することを特徴とする方向距離マーク使用地図表示装置。
【請求項２】
前記地図表示手段では、前記指示地点検出手段で検出した地点を含む地図を、現在表示している地図と同じ縮尺で表示することを特徴とする請求項１記載の方向距離マーク使用地図表示装置。
【請求項３】
前記地図表示手段では、前記指示地点検出手段で検出した地点を含む地図を、前記指示地点検出手段で検出した基準点からの距離に対応して、距離が短い程詳細地図を表示する縮尺を選択することを特徴とする請求項１記載の方向距離マーク使用地図表示装置。
【請求項４】
前記方向距離マーク使用地図表示装置を、船舶用ナビゲーション装置の地図表示装置として用いたことを特徴とする請求項１記載の方向距離マーク使用地図表示装置。
【請求項５】
画面に地図を表示する地図表示手段と、
画面の基準点を中心に、方向を示す方向線と、基準点を中心とする複数の等距離円と、各等距離円が示す基準点からの距離とを表示する方向距離マーク表示手段と、
前記方向距離マーク表示手段で方向距離マークを表示している時、画面にタッチした指示地点を、前記方向距離マーク上の基準点からの距離を示す地点として検出する指示地点検出手段とを備え、
前記方向距離マーク表示手段は、各等距離円が示す基準点からの距離の表示を、基準点から遠ざかる程、各等距離円間の距離が長くなるように表示し、
前記地図表示手段では、前記指示地点検出手段で検出した基準点からの距離の等距離範囲を含む地図を表示することを特徴とする方向距離マーク使用地図表示装置。
【請求項６】
前記地図表示手段では、前記指示地点検出手段で検出した基準点からの距離の等距離範囲が、画面に大きく表示される縮尺を選択して表示することを特徴とする請求項５記載の方向距離マーク使用地図表示装置。
【請求項７】
画面に地図を表示する地図表示手段と、
画面の基準点を中心に、方向を示す方向線と、基準点を中心とする複数の等距離円と、各等距離円が示す基準点からの距離とを表示する方向距離マーク表示手段と、
前記方向距離マーク表示手段で方向距離マークを表示している時、画面にタッチした指示地点を、前記方向距離マーク上の方向と基準点からの距離を示す地点として検出する指示地点検出手段と、
前記指示地点検出手段で３個以上の指示地点を検出したとき、指示した地点から成る範囲を検出する指示範囲検出手段とを備え、
前記方向距離マーク表示手段は、各等距離円が示す基準点からの距離の表示を、基準点から遠ざかる程、各等距離円間の距離が長くなるように表示し、
前記地図表示手段では、前記指示範囲検出手段で検出した指示範囲を含む地図を表示することを特徴とする方向距離マーク使用地図表示装置。
【請求項８】
前記地図表示手段では、前記指示範囲検出手段で検出した範囲が、画面に大きく表示される縮尺を選択して表示することを特徴とする請求項７記載の方向距離マーク使用地図表示装置。
【請求項９】
前記指示範囲検出手段で検出した指示範囲を、ナビゲーション装置の走行禁止区域としても用いることを特徴とする請求項７記載の方向距離マーク使用地図表示装置。
【請求項１０】
画面に地図を表示する地図表示手段と、
画面の基準点を中心に、方向を示す方向線と、基準点を中心とする複数の等距離円と、各等距離円が示す基準点からの距離とを表示する方向距離マーク表示手段と、
地図データからＰＯＩを検索するＰＯＩデータ検索手段とを備え、
前記方向距離マーク表示手段は、各等距離円が示す基準点からの距離の表示を、基準点から遠ざかる程、各等距離円間の距離が長くなるように表示し、
前記地図表示手段では、前記方向距離マーク表示手段で方向距離マークを表示している時、前記ＰＯＩデータ検索手段で検索したＰＯＩを、前記方向距離マーク上の方向と基準点からの距離に対応する位置に重ねて表示することを特徴とする方向距離マーク使用地図表示装置。
【請求項１１】
前記方向距離マーク表示手段では、利用者がＰＯＩの検索範囲を基準点からの距離で指定するとき、等距離円の最も外側の円の基準点からの距離表示を、前記利用者が指定した基準点からの距離に対応して表示を行うことを特徴とする請求項１０記載の方向距離マーク使用地図表示装置。
【請求項１２】
前記方向距離マーク表示手段には、前記方向距離マークの各等距離円が示す基準点からの距離表示を変更することにより、等距離円のスケールを変更する、距離スケール変更手段を備えたことを特徴とする請求項１、５、７、１０のいずれか一つに記載の方向距離マーク使用地図表示装置。
【請求項１３】
前記等距離円のスケールの変更は、画面に貼ったタッチパネルに触った２本の指を広げる方向、或いは縮める方向になぞる操作を検出して変更することを特徴とする請求項１２記載の方向距離マーク使用地図表示装置。
【請求項１４】
前記方向距離マーク表示手段には、前記方向距離マークの各等距離円が示す基準点からの距離表示の単位を、予め用意されている複数の単位から選択する距離表示単位選択手段を備えたことを特徴とする請求項１、５、７、１０のいずれか一つに記載の方向距離マーク使用地図表示装置。
【請求項１５】
前記距離表示単位選択手段では、ｍまたはｋｍの単位を選択することを特徴とする請求項１４記載の方向距離マーク使用地図表示装置。
【請求項１６】
前記距離表示単位選択手段では、徒歩でどの位の時間がかかるかの単位を選択することを特徴とする請求項１４記載の方向距離マーク使用地図表示装置。
【請求項１７】
前記距離表示単位選択手段では、車でどの位かかるかの単位を選択することを特徴とする請求項１４記載の方向距離マーク使用地図表示装置。
【請求項１８】
請求項１記載の方向距離マーク使用地図表示装置と、請求項５、７、１０のいずれか一つの方向距離マーク使用地図表示装置とを組み合わせたことを特徴とする方向距離マーク使用地図表示装置。
【発明の詳細な説明】
【技術分野】
【０００１】
本発明は、各種の地図を表示する際に、画面に表示された基準点からの方向と基準点との距離を示すマークを利用して、所望の地図を容易に表示することができるようにした方向距離マーク使用地図表示装置に関する。
【背景技術】
【０００２】
地図を表示して利用することは、車両用ナビゲーション装置を初め、携帯電話、携帯情報端末、パソコン等で広く行われるようになっている。このような地図の利用に際しては、例えばナビゲーション装置に於いて、これから行こうとする目的地を確かめる等のために、現在表示されている地図から、所望の他の地図を表示したい場合がある。
【０００３】
そのような場合は、例えば表示したい場所の住所がわかっているときにはその住所を直接入力することにより直ちに周辺の地図を表示させることができるが、住所がわからない場合、或いは不明確な時には所望の地図を表示させることができない。また、住所を入力するには多くの手数を必要とし、特にその地図の表示が車両用ナビゲーション装置の場合は、その地図を利用する人は主として運転者のため、そのような多くの手数を掛けて地図を表示させることは危険であり、好ましくない。
【０００４】
現在表示されている地図から他の地図を表示させたい時には、そのほか地図をスクロールさせて所望の地図を表示させることも行われる。この手法は前記のような住所を入力するものよりも手数がかからず、容易に他の地図を表示させることができ、前記のようなナビゲーション装置以外でも、地図の表示に際しては広く利用されている。
【０００５】
地図をスクロールするには例えば地図を移動させる方向を、ジョイスティックで指示し、移動速度をジョイスティックの傾斜量で調節することも行われているが、この手法はジョイスティックの操作機器が必要となり、車両用のナビゲーション装置ではリモコンにそのジョイスティックが付いている場合は、運転者がそのようなリモコン操作を運転士ながら行うことは危険である。また、車両やナビゲーション装置自体にジョイスティックを付けることは、車両前方に突起物が存在することになり、好ましくない。
【０００６】
そのため近年は、車両用ナビゲーション装置や各種携帯機器の画面にタッチパネルを貼り、利用者はその画面に表示された各種操作部分を指等でタッチすることにより、所定の機能を行うことができるようにしている。この機能を利用して、地図表示中に指等が画面にタッチしてなぞる方向を検出し、あたかも表示されている地図を移動させるようにスクロールして表示することが行われている。
【０００７】
なお、４５度間隔のマークを持つスクロールメニューを表示しておき、マウスカーソルでその１つを指示し、且つ指示点とマーク始点との距離に応じたスクロール速度にする技術は特許文献１に開示されている。また、タッチパネルディスプレイに指が接触して移動した長さを検出するとともに、移動した方向を検出して地図をスクロールする技術は特許文献２に開示されている。
【０００８】
更に、 現在画面に表示されている表示地点から、画面上で上下左右に位置する各方向について、近接する市町村や地域から、隣接する都道府県まで任意の数の地点を検索し、これを画面上の各方向に位置する部分に順に表示して、利用者はこれを見て所望する地点が存在すると思われる方向で、現在地点から離れている程度に応じて予め定められた操作量だけスクロール操作すると、これを検出してその地域の地図にスキップし、所定の縮尺でこれを表示する技術は特許文献３に開示されている。
【先行技術文献】
【特許文献】
【０００９】
【特許文献１】特開平９−８１０３２号公報
【特許文献２】特開２００６−９０９６２号公報
【特許文献３】特開２００２−１１６００４号公報
【発明の概要】
【発明が解決しようとする課題】
【００１０】
前記のように、地図を表示している画面の表面にタッチパネルを貼り、画面の表面をなぞることにより地図のスクロールを行うことは車両用ナビゲーション装置や、各種携帯機器の地図表示に於いて有効であるが、単に画面をなぞる方向を検出して移動させるだけでは、遠方の地図を表示するのに多くの時間がかかる。特に、例えば図１０（ａ）に示すように、現在縮尺の小さな詳細地図を表示している時に、遠方の地図をスクロール動作によって表示させたい時には、このまま単に画面を指等でなぞってスクロールすると極めて多くの操作と時間が必要となる。
【００１１】
そのため、このような場合は、同図（ｂ）のように一旦地図の縮尺を大きくし、広域地図の表示として、その画面をなぞることにより同図（ａ）の詳細な地図表示状態から比較的早く遠方の地図を表示させることができる。しかしながら、この手法では、地図の縮尺を変更する程度は利用者の勘に頼らざるをえない。
【００１２】
また、おおよその地域までスクロールした後は縮尺を詳細地図側に変更し、その際に所望の地点が表示範囲から外れていくと、その画面でスクロール操作を行い、所望の地点をほぼ画面の中心にして、次第に所望の詳細な地図を表示していく、という複雑な操作を行わなければならない場合が多くなる。
【００１３】
更に、詳細な地図を表示させている時でも、前記のように縮尺を広域側に変更せずに、遠方の地図を比較的速く表示させる手法として、スクロールする方向は指でなぞった方向とし、その状態で指を画面にタッチしている時間が長い程次第にスクロール速度を上げるようにしたものも存在する。
【００１４】
しかしながら、この手法では、詳細な地図のまま遠方の地図を高速で表示することとなり、遠方になる程、現在どの程度の距離までスクロールしたのか、どのような地域を現在スクロール表示しているのかを把握することが困難となる。また、前記のように画面に指等でなぞってスクロールする場合は、所望の地図が表示されるまでタッチしていなければならず、特に車両用ナビゲーション装置に於いて運転者が長時間このような操作を継続することは危険である。
【００１５】
したがって本発明は、地図表示画面に貼ったタッチパネルに対する利用者の操作を検出して地図のスクロールを行うに際して、１回のタッチによって、表示させたい地図の方向と現在位置からの距離を指定することができると共に、同様の手法を用いて指定地点からの等距離範囲を容易に知ることができ、また、地図上の所望の範囲を容易に指定することができるようにした方向距離マーク使用地図表示装置を提供することを主たる目的とする。
【課題を解決するための手段】
【００１６】
本発明に係る方向距離マーク使用地図表示装置は、前記課題を解決するため、画面に地図を表示する地図表示手段と、画面の基準点を中心に、方向を示す方向線と、基準点を中心とする複数の等距離円と、各等距離円が示す基準点からの距離とを表示する方向距離マーク表示手段と、前記方向距離マーク表示手段で方向距離マークを表示している時、画面にタッチした指示地点を、前記方向距離マーク上の方向と基準点からの距離を示す地点として検出する指示地点検出手段とを備え、前記地図表示手段では、前記指示地点検出手段で検出した地点を含む地図を表示することを特徴とする。
【００１７】
また、本発明に係る他の方向距離マーク使用地図表示装置は、前記方向距離マーク使用地図表示装置において、前記地図表示手段では、前記指示地点検出手段で検出した地点を含む地図を、現在表示している地図と同じ縮尺で表示することを特徴とする。
【００１８】
また、本発明に係る他の方向距離マーク使用地図表示装置は、前記方向距離マーク使用地図表示装置において、前記地図表示手段では、前記指示地点検出手段で検出した地点を含む地図を、前記指示地点検出手段で検出した基準点からの距離に対応して、距離が短い程詳細地図を表示する縮尺を選択することを特徴とする。
【００１９】
また、本発明に係る他の方向距離マーク使用地図表示装置は、前記方向距離マーク使用地図表示装置において、前記方向距離マーク使用地図表示装置を、船舶用ナビゲーション装置の地図表示装置として用いたことを特徴とする。
【００２０】
また、本発明に係る他の方向距離マーク使用地図表示装置は、前記課題を解決するため、画面に地図を表示する地図表示手段と、画面の基準点を中心に、方向を示す方向線と、基準点を中心とする複数の等距離円と、各等距離円が示す基準点からの距離とを表示する方向距離マーク表示手段と、前記方向距離マーク表示手段で方向距離マークを表示している時、画面にタッチした指示地点を、前記方向距離マーク上の基準点からの距離を示す地点として検出する指示地点検出手段とを備え、前記地図表示手段では、前記指示地点検出手段で検出した基準点からの距離の等距離範囲を含む地図を表示することを特徴とする。
【００２１】
また、本発明に係る他の方向距離マーク使用地図表示装置は、前記方向距離マーク使用地図表示装置において、前記地図表示手段では、前記指示地点検出手段で検出した基準点からの距離の等距離範囲が、画面に大きく表示される縮尺を選択して表示することを特徴とする。
【００２２】
また、本発明に係る他の方向距離マーク使用地図表示装置は、前記課題を解決するため、画面に地図を表示する地図表示手段と、画面の基準点を中心に、方向を示す方向線と、基準点を中心とする複数の等距離円と、各等距離円が示す基準点からの距離とを表示する方向距離マーク表示手段と、前記方向距離マーク表示手段で方向距離マークを表示している時、画面にタッチした指示地点を、前記方向距離マーク上の方向と基準点からの距離を示す地点として検出する指示地点検出手段と、前記指示地点検出手段で３個以上の指示地点を検出したとき、指示した地点から成る範囲を検出する指示範囲検出手段とを備え、前記地図表示手段では、前記指示範囲検出手段で検出した指示範囲を含む地図を表示することを特徴とする。
【００２３】
また、本発明に係る他の方向距離マーク使用地図表示装置は、前記方向距離マーク使用地図表示装置において、前記地図表示手段では、前記指示範囲検出手段で検出した範囲が、画面に大きく表示される縮尺を選択して表示することを特徴とする。
【００２４】
また、本発明に係る他の方向距離マーク使用地図表示装置は、前記方向距離マーク使用地図表示装置において、前記指示範囲検出手段で検出した指示範囲を、ナビゲーション装置の走行禁止区域としても用いることを特徴とする。
【００２５】
また、本発明に係る他の方向距離マーク使用地図表示装置は、前記課題を解決するため、画面に地図を表示する地図表示手段と、画面の基準点を中心に、方向を示す方向線と、基準点を中心とする複数の等距離円と、各等距離円が示す基準点からの距離とを表示する方向距離マーク表示手段と、地図データからＰＯＩを検索するＰＯＩデータ検索手段とを備え、前記地図表示手段では、前記方向距離マーク表示手段で方向距離マークを表示している時、前記ＰＯＩ検索手段で検索したＰＯＩを、前記方向距離マーク上の方向と基準点からの距離に対応する位置に重ねて表示することを特徴とする。
【００２６】
また、本発明に係る他の方向距離マーク使用地図表示装置は、前記方向距離マーク使用地図表示装置において、前記方向距離マーク表示手段では、利用者がＰＯＩの検索範囲を基準点からの距離で指定するとき、等距離円の最も外側の円の基準点からの距離表示を、前記利用者が指定した基準点からの距離に対応して表示を行うことを特徴とする。
【００２７】
また、本発明に係る他の方向距離マーク使用地図表示装置は、前記方向距離マーク使用地図表示装置において、前記方位距離マーク表示手段には、前記方向距離マークの各等距離円が示す基準点からの距離表示を変更することにより、等距離円のスケールを変更する、距離スケール変更手段を備えたことを特徴とする。
【００２８】
また、本発明に係る他の方向距離マーク使用地図表示装置は、前記方向距離マーク使用地図表示装置において、前記等距離円のスケールの変更は、画面に貼ったタッチパネルに触った２本の指を広げる方向、或いは縮める方向になぞる操作を検出して変更することを特徴とする。
【００２９】
また、本発明に係る他の方向距離マーク使用地図表示装置は、前記方向距離マーク使用地図表示装置において、前記方位距離マーク表示手段には、前記方向距離マークの各等距離円が示す基準点からの距離表示の単位を、予め用意されている複数の単位から選択する距離表示単位選択手段を備えたことを特徴とする。
【００３０】
また、本発明に係る他の方向距離マーク使用地図表示装置は、前記方向距離マーク使用地図表示装置において、前記距離表示単位選択手段では、ｍまたはｋｍの単位を選択することを特徴とする。
【００３１】
また、本発明に係る他の方向距離マーク使用地図表示装置は、前記方向距離マーク使用地図表示装置において、前記距離表示選択手段では、徒歩でどの位の時間がかかるかの単位を選択することを特徴とする。
【００３２】
また、本発明に係る他の方向距離マーク使用地図表示装置は、前記方向距離マーク使用地図表示装置において、前記距離表示選択手段では、車でどの位かかるかの単位を選択することを特徴とする。
【００３３】
また、本発明に係る他の方向距離マーク使用地図表示装置は、前記方向距離マーク使用地図表示装置において、前記方位距離マーク表示手段では、各等距離円が示す基準点からの距離の表示を、基準点から遠ざかる程、各等距離円間の距離が長くなるように表示することを特徴とする。
【００３４】
また、本発明に係る他の方向距離マーク使用地図表示装置は、前記それぞれの方向距離マーク使用地図表示装置を組み合わせて用いることを特徴とする。
【発明の効果】
【００３５】
本発明は上記のように構成したので、地図表示画面に貼ったタッチパネルに対する利用者の操作を検出して地図のスクロールを行うに際して、１回のタッチによって、表示させたい地図の方向と現在位置からの距離を指定することができると共に、同様の手法を用いて指定地点からの等距離範囲を容易に知ることができ、また、地図上の所望の範囲を容易に指定することができると共に、所定のＰＯＩを容易に、且つ見やすく表示させることができるようになる。
【図面の簡単な説明】
【００３６】
【図１】本発明の実施例の機能ブロック図である。
【図２】同実施例に於いて、地図スクロールモードと等距離範囲指定モードと、任意範囲指定モードを実施する機能ブロック図である。
【図３】図２のステップＳ５とＳ１２の詳細モードの作動フロー図である。
【図４】本発明に於けるスクロールモードの作動態様を示す図である。
【図５】同地図スクロールモードの他の作動態様を示す図である。
【図６】同地図スクロールモードの更に他の作動態様を示す図である。
【図７】本発明に於ける等距離範囲指定モードの作動態様を示す図である。
【図８】本発明に於ける任意範囲指定モードの作動態様を示す図である。
【図９】本発明の実施例に於けるＰＯＩ表示モードの説明図であり、（ａ）は作動フロー図であり、（ｂ）は表示態様を示す図である。
【図１０】従来例を示す図である。
【発明を実施するための形態】
【実施例】
【００３７】
本発明の実施例を図面に沿って説明する。図１は本発明を実施する機能ブロック図であり、本発明を各種の態様で実施することができるようにした例を示している。したがって、本発明はこれらの機能ブロックの内任意のものを選択して、各種の態様で実施することができる。なお、図１における各機能部は、各機能を行う手段と言うこともできる。
【００３８】
図１に示す機能ブロック図においては、本発明による方向距離マークの表示を利用して、それぞれ異なった各種の態様で実施できるため、それらの主たる機能を「モード」として、方向距離マーク使用モード選択部１で選択可能としている。そのため、方向距離マークを表示する時に図１に示すような各種のモードのいずれを用いるかを選択し、或いは他の機能を行っている途中でいずれかのモードを用いる指示を行う、等によって、それらの機能を用いることができる
【００３９】
図１に示す方向距離マーク使用モード選択部１には、地図スクロールモード２を備え、後に詳述するようにこのモードにおいては、地図画面の中心位置を基準点として、方向の目安となる方向マークを表示すると共に、その基準点を中心とする、基準点からの距離を示す円又は楕円を複数同心円状に表示し、各同心円が基準点から何ｋｍ又は何ｍであるか等のスケールを表示した「方向距離マーク」に対して、利用者が任意の地点をタッチパネルの機能等によって指示することにより、その地点の地図を直ちに表示する機能を行うモードとしている。
【００４０】
また、等距離範囲指定モード３においては、前記のような方向距離マークを表示している画面に於いて、同心円で示す距離スケールのいずれかを指示することにより、現在表示されている地図の基準点を中心として等距離の範囲の地図を、適切な縮尺で表示する機能を行う。
【００４１】
また、任意範囲指定モード４においては、前記のような方向距離マークを表示している画面に於いて、任意の３個以上の複数の地点を利用者が指示することにより、指示した範囲が適切な縮尺の地図画面を表示する機能を行う。
【００４２】
また、ＰＯＩ表示モード５では、前記のような方向距離マークを表示している画面に於いて、地図におけるＰＯＩ（Points Of Interest）について、予め指定した条件に適するＰＯＩを、地図データベースから検索し、これを方向距離マークの対応した位置に表示する機能を行う。
【００４３】
上記のように、方向距離マーク使用モードとしては種々の機能を行うモードを備えているものであるが、それ以外にもこの方向距離マークを利用して種々の機能を行うことができるばかりでなく、例えば地図スクロールモード２や等距離範囲指定モード３と、ＰＯＩ表示モード５とを組み合わせて、スクロールした後の画面、或いは等距離範囲を指定して表示した後の地図画面に、自動的にＰＯＩ表示モードによる表示をする等、各種のモードを組み合わせて利用することもできる。また、方向距離マーク使用モード選択部１でのモードの選択により、例えば方向距離マーク表示部６等、各機能部ではそのモードに対応した作動を行うこととなる。
【００４４】
方向距離マーク表示部６においては、前記のように、また図４（ｂ）（ｃ）に示すように、地図画面の中心位置を基準点として、方向の目安となる方向マークを表示すると共に、その基準点を中心とする、基準点からの距離を示す円［図４（ｂ）］、または楕円［図４（ｃ）］を複数同心円状に表示し、各同心円が基準点から何ｋｍ又は何ｍであるか等のスケールを表示した「方向距離マーク」を表示する。
【００４５】
そのため図１に示す方向距離マーク表示部６においては、方向マーク表示部７で、前記図４に示すように、画面の中心の基準点から四方に、東西南北を示す方向マークのほか、それぞれの中間の方向である北西、南西、南東、北東を示す方向マークを表示する。そのほか必要に応じて更に細かな方向マークを表示することもできるが、東西南北のみの方向マークのみ表示しても良い。
【００４６】
距離マーク表示部８においては、図４（ｂ）に示すような基準点を中心とした同心円、或いは同図（ｃ）に示すような同心状の楕円によって、その線上は基準点から等距離であることを示している。なお、図４（ｃ）のような楕円で示すのは、同図（ｂ）のように同心円で示すと基準点からの距離感はわかりやすいが、通常の地図を表示するモニタは、特に近年はワイド画面表示用が多くなってきていることから、特に横長の画面を有効に用いて、互いの距離の間が大きくとれるようにするためである。
【００４７】
距離マーク表示部８においては、前記のような等距離を示す円または楕円を表示すると共に、そのときの各線は基準点からどのくらいの距離であるかのスケールを表示している。図４（ｂ）及び（ｃ）の例においては、描く円の中心である基準点側から順に１ｋｍ、１０ｋｍ、１００ｋｍ、１０００ｋｍと表示した例を示している。
【００４８】
このようなスケールは必要に応じて任意に設定することができるものであり、例えば最も遠い円が同じ１０００ｋｍでも、それから内側に例えば５００ｋｍ、１００ｋｍ、１０ｋｍのようにスケールを異ならせて表示することもできる。これらの場合はいずれも、等間隔の距離円を表示していても、外側程線の間隔に対応する距離を大きくし、遠い範囲をおおよその位置でも広範囲に指示や表示を可能とし、近い程より詳細な地点の指示や表示等を可能にしている。
【００４９】
図１に示す距離マーク表示部８には距離スケール変更部９を備え、通常の作動時には前記図４（ｂ）及び（ｃ）のような、１０００ｋｍを最も外側とする縮尺を表示する時でも、そのような遠くの地図は必要とせず、比較的近い範囲をスクロールしたいと思ったときには、その距離スケールを、例えば図６（ａ）と（ｂ）で後述するように、１０ｋｍを最も外側にする、等のスケールの変更を行う。
【００５０】
また、距離表示単位選択部１０では、ｋｍ単位１１において、前記図４（ｂ）（ｃ）に示すような、例えば１０ｋｍ等の「ｋｍ」単位のスケール表示を標準としている場合でも、徒歩○○分単位１２では、利用者の指示によりこれを選択する時、例えば図６（ｃ）に示すように、「徒歩○○分」のような徒歩で何分かかるかの直接入力を可能とする表示を行う。
【００５１】
また、車○○分単位１３では、利用者の指示によりこれを選択する時、例えば図６（ｄ）に示すように、「車で○○分」の単位のスケール表示を行う。このような単位表示の変更により、各種の施設案内等で、○○駅下車、南に徒歩○○分、○○インターチェンジから北に１０分、等の案内がある時、その地点を容易に探すことができるようになる。前記のような方向距離マーク表示部６で表示処理される方向距離マークの表示データは、画像出力部２３に出力し、後述するように地図表示部１８からの地図画像と重ねて表示可能としている。
【００５２】
表示地図縮尺選択部１４では、方向距離マーク表示画面で、利用者が地図のスクロール指示等の各種モードに応じた何らかの指示を行う時、その指示によってスクロール先の地図を表示する等の何らかの地図表示を行う際には、その地図の縮尺を適切に選択する機能を行う。その中の縮尺指示入力部１５では、利用者が予め設定した縮尺の指示を読み出し、或いは、例えばスクロール指示の時に、最初から詳細な地図を表示したいと思った時に、適当な縮尺を指示する場合、その指示をここで入力する。
【００５３】
また、指示距離対応縮尺選択部１６では、例えば地図スクロールモード１において、通常の作動を行う通常モードの時にはスクロール先の地図は現在表示している地図等の、予め設定している地図の縮尺で表示する場合でも、詳細な設定を行う詳細モードでは、例えば図５（ａ）に示すように比較的近い地点を指示した時には、同図（ｂ）に示すようにその距離に対応して小さい縮尺で詳細な地図表示を行い、逆に同図（ｃ）のように比較的遠い地点を指示した時には、それに対応して同図（ｄ）のように大きい縮尺で広域地図を表示する等の、指示地点に対応した縮尺を選択する。
【００５４】
指示範囲対応縮尺選択部１７では、例えば等距離範囲指定モード３、或いは任意範囲指定モード４を選択している時、指定された範囲ができる限り表示画面に広く表示されるように、即ち一部のみに表示されることの無いように、適切な縮尺を選択して表示するための縮尺選択を行う。上記のような表示地図縮尺選択部１４で選択した地図の縮尺は、後述する地図表示部１８に出力する。
【００５５】
地図表示部１８では従来からの通常の地図表示を初め、本発明特有の地図表示も行うものであり、その中の現在地基準点移動部１９では、例えば通常のナビゲーション装置においては現在地マークを車両が進行する方向を広く表示できるように、現在地マークは画面の下方に表示している場合が多いが、本発明においては前記のような方向距離マークを表示して利用者の指示を行い易くするため、方向距離マークの基準点を画面中心に配置することが好ましい。そのため、方向距離マークを表示する時には、現在地マークが画面上のどこにあっても方向距離マークの基準点に現在地が存在するように移動して表示する。
【００５６】
その際には、画面に表示する方向距離マークの方向に合わせて地図の方位を変更して表示しておくことは、利用者がこれからスクロールしようとする方向感覚を正しくするためにも好ましい。但し、本発明においては必ずしも方向距離マークに現在の地図表示を合わせることなく、その地図表示を無視して方向距離マークに対する利用者の指示のみを検出し、本発明を作動させることも可能である。
【００５７】
地図表示部１８における縮尺指示入力部２０では、表示地図縮尺選択部１４で前記のようにして選択した地図の縮尺指示を入力して、実際に表示する地図の縮尺を決定する。地図データ取込部２１では、地図表示に際しての各種の要求に対応して、また指示地点検出部３０で方向距離マークに対する利用者が指示した地点を検出した時これを入力し、それらの地点を中心にした、所定縮尺の地図を地図データベース３１から取り込んで地図の表示を行う。
【００５８】
ＰＯＩデータ検索部２２では、本発明が例えばＰＯＩ表示モード５でＰＯＩを表示する時、或いは等距離範囲指定モード３で特定の距離の範囲内の施設等を表示する時、そのための検索を地図データベース３１を用いて行う。その検索結果はこの地図表示部１８において、実際の地図上、或いは方向距離マーク上に重ねて表示する。
【００５９】
指定範囲設定部２４では、特に本発明が等距離範囲指定モード３、及び任意範囲指定モードで作動する時、その範囲を指定して設定する機能を行う。その中の基準点間距離指示入力部２５においては、特に等距離範囲指定モード３において、例えば現在地から１０ｋｍの範囲内、或いは現在地から徒歩２０分の範囲内、或いは現在地から車で１０分以内等の、基準点からの所定の距離内の施設を検索して表示する時のような場合、基準点からの検索する距離の指示をここで入力する。
【００６０】
また、複数地点指示範囲入力部２６では、本発明が特に任意範囲指定モード４で作動する時、３箇所以上の複数点を指示することにより、その範囲を指定する際に、その複数地点の指示、及びその指示による範囲をここで入力する。その入力に際しては、範囲指示開始終了入力部２７で、これから任意範囲の設定のための入力を開始する旨、またその入力が終了した旨の利用者の指示を入力する。
【００６１】
指示地点位置入力部２８では、前記のようにこの複数地点指示範囲入力部２６で所定の範囲を指示するために複数地点の指示がなされる時、これをここで入力する。その際に実際に利用者が指示した地点は、指示地点検出部３０で、タッチパネルに利用者の指等がタッチしたことを検出した時、その画面上の位置により指示地点を検出し、指示地点位置入力部２８ではこれを入力することにより行っている。  
【００６２】
指示範囲検出部２９では、前記のようにして入力した３箇所以上の指示地点を入力し、それにより入力した地点で囲まれる範囲を検出する。このような複数地点から所定の範囲を検出することは、ナビゲーション装置等で広く用いられている各種の手法を使用して実施することができる。
【００６３】
指示地点検出部では前記のように、画面に貼ったタッチパネルに利用者の指等がタッチしたことを検出した時、その画面上の位置により指示地点を検出するものであり、本発明における各種のモードで同様に作動する。地図データベース３１は、近年はメモリチップやメモリカード等にも莫大な地図データの保存が可能となっているが、そのほかにインターネット網を利用して地図データを取り込むことも可能となっている。
【００６４】
モニタ３２には画像出力部２３から、前記のような地図表示部１８からのＰＯＩを含む地図データ、及び方向距離マーク表示部６からの方向距離マーク等の種々の画像を表示している。なお、利用者に対する操作案内、検索結果案内等のため、適宜スピーカから音声案内を出力しても良い。
【００６５】
図１に示すような機能ブロックからなる本発明は、前記のように各種機能部を選択して用いることにより、種々の態様で実施することができるものであるが、例えば図３、図４及び図９に示すような作動フローにより、本発明を各作動モードに応じて実施することができる。これを図１の機能ブロック図、及び図４〜図９の画面表示例を参照しつつ説明する。
【００６６】
図２に示す方向距離ワンタッチ指示地図表示処理の例においては、図１の方向距離マーク使用モード選択部１における、地図スクロールモード２と、等距離範囲指定モード３と、任意範囲指定モード４とを実施する作動フローを示している。なお、ＰＯＩ表示モードは図９（ａ）に示す作動フローにより実施することができる。
【００６７】
図２の方向距離ワンタッチ指示地図表時処理では、最初に地図をスクロールするか否か、即ち地図スクロールモードを行うか否かを判別している（ステップＳ１）。ここで地図スクロールモードを利用者が選択したことを検出した場合は、ステップＳ２に進んで、任意縮尺の地図を表示している状態で、スクロール開始の基準点を指示する。この時の多くの場合は現在表示されている地図からのスクロールであるため、現在表示されている地図の現在地がスクロール開始点となるが、利用者が改めて特定の地点を指示することも可能である。
【００６８】
この時のスクロール開始点については、図１の地図表示部１８における現在地基準点移動部１９の説明でも述べたように、ナビゲーション装置等において通常は現在地のマークを、進行方向を広く表示できるように、現在地は画面の中心に配置しない場合が多いが、ここでは現在地からの地図の移動を、画面の中心を基準点とする方向距離マークと重ねるため、現在地マークが画面中心になるように移動させることが、これから移動させる方向感覚を正しくするためにも好ましい。更にその地図の方位を方向距離マークが画面上方を北向きに表示する時、その方向と一致させて画面上方を北向きに表示する処理を行っても良い。このような処理を行った状態を図４（ａ）に示している。
【００６９】
その後ステップＳ３において、方向距離マークを重ねて表示する。この処理は図１の方向距離マーク表示部６における方向マーク表示部７で、図４（ｂ）（ｃ）に示すような方向を示す線を表示し、距離マーク表示部８で同図（ｂ）のような等距離円の表示、或いは同図（ｃ）のように等距離楕円のマーク表示を行う。なお、以降は等距離円及び等距離楕円をまとめて「等距離円」と総称する。
【００７０】
図２に示す例においては、その後ステップＳ４において、簡易モードを行うか否かを判別している。即ち、本発明においては図３に示すような詳細に設定するモードも存在するが、できる限り簡単な操作で、利用者が多くの場合満足できるスクロール操作を行うことができるように簡易モードを用意しておき、特に詳細モードを行う旨の指示がない時には簡易モードを行うものとしている。
【００７１】
したがってステップＳ４で簡易モードを行うと判別した時には、ステップＳ６に進み、利用者が指示した方向距離マークに対応した任意の点を検出する。この状態は図４（ｂ）及び（ｃ）のように、地図上に表示されている方向距離マークに対応して利用者が例えば「北東５０ｋｍ」の地点を指示した時、これを検出することにより行う。
【００７２】
なお、同図に示す例では、利用者が方向距離マークを指示する時、どの地点を指示しているのかをわかり易くするため、指等を画面に近接させた時の位置、或いは軽く接触させた時の位置を、画面上に吹き出しで表示する例を示している。このような表示は、特に本発明において、等距離円を外側程粗く、即ち同じ画面上の長さでも、地図上の距離は画面の外側程大きくなるようにしているので、タッチする位置が実際にはどの位置なのかがわかりにくいため、このような吹き出し等による指示位置の表示は重要となる。
【００７３】
次いでステップＳ７に進み、指定地点中心の任意縮尺の地図を表示する。この作動の結果、図４に示す例では、同図（ｄ）に示すような、同図（ａ）に示された現在地から北東５０ｋｍに当たる地図を、今まで表示していた地図の縮尺と同じ縮尺で表示している。
【００７４】
上記作動はステップＳ４で簡易モードを選択するものとした時の作動を示したが、ここで簡易モードではなく詳細モードを選択する場合には、ステップＳ４において利用者が「詳細モード」を選択する等により、例えば図３に示すような作動を行う。図３に示す例においては、前記のような地図スクロールを行う時、ステップＳ２２で任意スケールに表示変更する処理を行うか、ステップＳ２４で距離表示単位を変更する処理を行うか、またはステップＳ２７で指定した距離に応じて縮尺を変更する処理を行うか、或いはこれらの処理を任意に組み合わせるか、の各処理を行う例を示している。  
【００７５】
図３に示す詳細モード処理の例においては、図２に於ける前記ステップＳ５の処理として行うほか、後述する図２のステップＳ１２の処理としても行うことができる。図３の詳細モードに於いて図２のステップＳ５を行った後はステップＳ２１に進み、基準地点からの距離スケールを変更するか否かを判別する。
【００７６】
ここで基準地点からの距離スケールを変更すると判別した時には、ステップＳ２２に進んで、例えば図６（ａ）のように表示画面で両指を広げるようになぞる操作を行う等により、任意スケールに表示変更を行う。図６に示す例においては、前記動作により、同図（ｂ）に示すように、最初は最大外径部分が１０００ｋｍであったスケールが、これを広げることにより最大外径が１０ｋｍにスケール変更した例を示している。
【００７７】
その後前記ステップＳ２１で、今回はスケールの単位を変更する必要がないと判別した時と共にステップＳ２３に進み、スケールの単位を変えるか否かを判別する。ここでスケールの単位を変えると判別した時には、当初の方向距離マークの距離の単位が「ｋｍ」で表示されている時、例えば「徒歩○○分」「車で○○分」等の単位に変更する。この作動は図１の方向距離マーク表示部８における距離マーク表示部８において、距離表示単位選択部１０で選択することにより行っている。
【００７８】
また、この状態は図６（ｃ）に「徒歩○○分」の単位表示を行った例を示し、同図（ｄ）に「車で○○分」の単位表示を行った例を示している。このような単位表示を行うことにより、各種の施設案内や店の案内に、「○○駅下車、東へ１ｋｍ」、或いは「○○駅下車、東に徒歩１５分」のような案内がある時、それぞれの単位で直ちに所望の地図を表示し、施設を容易に見つけることができるようになる。
【００７９】
また、同様に「○○ＩＣから西へ約１０ｋｍ」、或いは「○○ＩＣから西へ約１０分」のような案内に対しても、更には「○○駅から南へ○○バス約１０分」のような表示にも、その駅を中心とした方向距離マークにおける「車で○○分」の単位表示によって容易に所望の地点の地図を表示できる。
【００８０】
上記のような案内表示は、観光マップ等に広く用いられているものであるが、あまり有名ではない観光地は詳細な案内がない場合が多く、ナビゲーション装置にも詳細なデータがない場合もある。そのような場合でも本発明に於ける前記のような手法を用いることにより、駅等の主要な施設からの方向と距離の目安が存在するだけで、直ちに、且つ容易に所望の地図を表示し、所望の施設等のＰＯＩを見つけることが可能となる。
【００８１】
図３の例においては、その後、前記ステップＳ２３でスケールの単位を変えないと判別した時と共にステップＳ２５に進み、現在のモードは地図スクロールモードであるか否かを判別し、地図スクロールモードであると判別した時にはステップＳ２６に進んで、スクロール先の地図の縮尺を、例えば近距離の場合は詳細地図の表示を行う、というような、表示変更を行うか否かを判別する。
【００８２】
即ち、図３に於ける詳細モード処理は、図２のステップＳ５の地図スクロールモードの処理と、後述するステップＳ１２の等距離範囲指定モードの両方に共通で行う処理として示しているため、このステップＳ２６以降の処理は地図スクロールモードの時にのみ適用する。ここで地図スクロールモードであると判別した時、前記のようにステップＳ２６でスクロール先に地図の縮尺を変更するか否かを判別し、変更すると判別した時、即ち変更する旨予め設定しているような場合は、例えば近距離程詳細な地図を表示するような縮尺の変更を行う。
【００８３】
この状態は図５に示しており、同図（ａ）の例では、１目盛が３００ｍの地図上で、北東１ｋｍのような比較的近い位置の地図表示を行う指示があった時には、同図（ｂ）に示すように、１目盛が５０ｍの詳細地図を表示した例を示している。それに対して、同図（ｃ）に示す例においては、南南西４００ｋｍの比較的遠い地点を指示した時には、例えば同図（ｄ）のように１目盛が２ｋｍの広域地図を表示する例を示している。
【００８４】
図３においてはステップＳ２７でこのような処理を行った後は前記ステップＳ２６でスクロール先の地図の縮尺を変更しないと判別した時と共にステップＳ２８で図２のステップＳ６に進み、前記のような作動を行う。また、前記ステップＳ２５で現在は地図スクロールモードではないと判別した時には、図３の例では前記のように図２の等距離範囲指定モードであるので、ステップＳ２９において図２のステップＳ１３に進むこととなる。
【００８５】
上記のような地図スクロールモードを行うことにより、方向距離マークを表示してワンタッチにより所望の位置にスクロールし、適切な地図を表示することができるものであるが、この手法は特に米国のナビゲーション装置に於いて極めて有効である。即ち、米国では車両に方位磁石を備えておき、方位と距離で各種案内を行うことが多いため、そのような案内に対して本発明においては、方向距離マークを表示して、特定の地点からの方向と距離の案内の表示をそのまま用いて、案内される場所を直ちに表示させることができるようになる。
【００８６】
また、船舶に搭載したナビゲーション装置に於いて、周辺に何も目印がないことにより地図をスクロールしても所望の島や、漁場、釣り場のポイント地点等の地図を表示することができないのに対して、本発明によれば方向距離マークを表示して海上からでも所望の地点の地図を容易に表示させることができ、極めて有用である。
【００８７】
図２のステップＳ１で地図スクロールモードを行うものとした時には前記のような処理によって、本発明の当該モードを実施することができるものであるが、ステップＳ１において地図スクロールモードではないと判別した時には、図示の例ではステップＳ８に進み、指定基準点からの等距離範囲の指定を行うか、即ち、等距離範囲指定モードを行うか否かの判別を行う。
【００８８】
図２に示す例においては、ステップＳ１において地図スクロールモード以外のモードとして、図２の 方向距離ワンタッチ指示地図表示処理を行うモードは、図１の等距離範囲指定モード３と、任意範囲指定モード４を行うため、前記ステップＳ８では、等距離範囲指定モードである時にはステップＳ９に進むものとしている。
【００８９】
ステップＳ９ではこのような等距離範囲指定モードを行うに際して、最初に基準点を指定することから行っている。即ち、この等距離範囲指定モードでは、特定の指定地点から○○ｋｍ等のような所定の範囲に存在する所望の地点、或いは方向はわからないが距離はわかる所定の場所、施設等からの距離がわかる場合等に、このモードを採用するため、最初にその基準となる地点の指示から行っている。
【００９０】
そのため、ここでの処理は現在地から○○ｋｍの地点、或いは現在地から○○ｋｍの範囲内にあるコンビニを探す、等の現在地を基準とする場合には、現在表示している地図で、単に基準点を画面の中心に配置するのみで良いが、例えば「○○駅から○○ｍ」のような地点を探す時のような場合は、最初に「○○駅」を表示し、これを基準点にすることとなる。
【００９１】
その後ステップＳ１０に進み、前記基準点が表示される地図について、必要に応じてこれを任意縮尺の地図とし、その画面上に距離マークを表示する。ここで前記のような「方向距離マーク」ではなくて「距離マーク」と称するのは、この等距離範囲モードでは方向に関係なく、所定の基準点からの等距離範囲を指示するため、ここではあえて「距離マーク」と称している。したがって、ここでは単に基準点からの距離を示すスケールを表示するのみでよいが、前記と同様の方向距離マークを利用して表示しても良いことは当然である。
【００９２】
その後ステップＳ１１において、前記ステップＳ４と同様に簡易モードとするか否かを判別し、簡易モードではなく詳細モードを行うと判別した時にはステップＳ１２に進み、前記図３の詳細モードを行う。図３の処理については前記のとおりであるので、ここでの詳細な説明は省略するが、ステップＳ２２の処理によって基準点からの距離スケールを任意スケールに表示変更し、ステップＳ２４で距離表示単位を「ｋｍ」「徒歩○○分」「車で○○分」等の単位の表示変更を、必要に応じて行う。
【００９３】
その後前記ステップＳ１１で簡易モードを行うとした場合と共にステップＳ１３に進み、利用者が距離マークの任意の点の指示を行い、それによりステップＳ１４において指示した範囲が含まれる最小縮尺の地図を表示する。
【００９４】
この状態は図７に示しており、同図（ａ）では等距離範囲指定モードで１目盛が３００ｍの地図を表示し、基準点をその地図の中心とした状態で、前記と同様に方向距離マークを表示し、利用者が１０ｋｍの地点を指示している。それにより同図（ｂ）に示すように、指定した距離範囲が画面にできる限り大きく表示できるように、１目盛１ｋｍの比較的広域の縮尺の地図を表示し、指定した範囲がわかるように、例えば範囲内、或いは範囲外を適宜の薄い色で着色して表示する等、指定範囲をわかりやすく表示する。
【００９５】
また、図７（ｃ）に示すように、５００ｍのような比較的近い距離を指定した場合には、同図（ｄ）に示すように指定した距離範囲が画面にできる限り大きく表示できるように、１目盛１００ｍのように比較的詳細な地図を表示する。このように、同じ指示画面からの等距離範囲の指示であっても、指示した距離範囲により地図の縮尺を変えることにより、見やすい地図を表示することが可能となる。
【００９６】
図２に示す例に於いて、前記ステップＳ８で等距離範囲指定モードを行わないと判別した時にはステップＳ１５に示すように、以降は複数地点指定による任意範囲指定モードを行うこととなる。その際にはステップＳ１６において、基準点を中心にした地図上に、方向距離マークを重ねて表示する。この処理は基準点から全方位に容易に各種地点を指示するために行っているが、例えば東側は海のため、その方向の指定はないと推測される時には、基準点を東側に移動させておくこともできる。
【００９７】
次いでこれから複数の箇所を指定する旨の「開始」指示の入力を行い（ステップＳ１７）、その後ステップＳ１８で、利用者が方向距離マーク上の任意の、範囲を示すために必要な３点以上の複数の点を指示する。その後利用者が所望の範囲を示すための指示は終了したと判断した時、「入力終了」の指示を行う（ステップＳ１９）。その後前記ステップＳ１４に進み、等距離範囲指定モードの時と同様に、指示した範囲が含まれる最小縮尺の地図を表示する。
【００９８】
この処理の状態は図８に示しており、最初は同図（ａ）のように１目盛が３００ｍの縮尺の地図表示状態で、方向距離マークを重ねて表示する。それに対して図示の例では同図（ｂ）の表に示すように、地点Ａとして基準点から北の方向に３０ｋｍの地点を指示し、同様に地点Ｂとして基準点の北西４０ｋｍ、地点Ｃとして基準点から西に５０ｋｍと最も遠くを指定している。更に、地点Ｄとして基準点から南西に３０ｋｍ、地点Ｅとして基準点から南に２５ｋｍ、地点Ｆとして基準点から南東に２０ｋｍ、地点Ｇとして基準点から同じく２０ｋｍ、地点Ｈとして基準点から北東に同じく２０ｋｍを指示した例を示している。
【００９９】
それにより図８（ｃ）に示すような、指定範囲が画面に最大限入る縮尺の地図が表示される。この時の表示についても範囲外と範囲内を適宜の着色によって容易にわかるように表示する。このような範囲表示は、例えば特定の地点から所定の範囲は近付かない方が良い、という情報がある時、その範囲を指定して表示することができ、ナビゲーション装置ではその範囲に存在する施設にはどのようなものがあるかを容易に知ることがでる。
【０１００】
更に、指定した範囲は危険であるから通らないルートを探索する、等のナビゲーション装置に於ける処理にも用いることができる。同様に、例えば首都圏の所定範囲は道路が混雑しているので、この所定の範囲を指定して、その範囲を通らずに通過できるルートを探索する、等にも有効に用いることができる。
【０１０１】
本発明においては図１の前記のような方向距離マークを利用して、地図を表示させるのではなく、方向距離マーク上に各種のＰＯＩを表示させるＰＯＩ表示モードを行うことができるが、その処理は図９に示している。即ち、図９に示すＰＯＩ表示モードの例においては、同図（ａ）に示すような作動フローによって処理を行い、それにより同図（ｂ）に示すようなＰＯＩ表示を行う例を示している。
【０１０２】
即ち図９（ａ）の方向距離マークを利用したＰＯＩ表示モード処理を行う例においては、最初に、検索して表示するＰＯＩの最大距離を設定するか否かを判別している。ここにおいては、このモードの使用態様は多くの場合、特定の観光地等において、その周辺に存在する名所旧跡等を探索する時に用いることが多いため、徒歩で行ける範囲を探す時のように、遠方の施設等の表示は必要ないと思われる場合が存在し、例えば最大で５ｋｍ以内のＰＯＩを表示するのみで良いと思われる時には、ステップＳ３１で最大距離の設定をする判別を行い、ステップＳ３２に進む。
【０１０３】
ステップＳ３２では、前記のように例えば５ｋｍのように設定した最大距離に対応した、方向距離マークを表示する。次いでステップＳ３３において、設定した最大距離範囲、或いはそれよりもわずかであるならばその外側を含めたＰＯＩを検索する。その後このようにして検索したＰＯＩを、現在表示している方向距離マークの対応する位置に、それぞれの名称等と共に表示する。
【０１０４】
また、前記ステップＳ３１において、検索して表示するＰＯＩの最大距離を設定するか否かの判別で、特に設定の必要はなく、周辺の広い範囲で名所旧跡等があれば知りたいと思うような場合は、特に指定することなく、遠方のＰＯＩは最大外径の距離円外に適宜表示するものとして、ステップＳ３５に進む。
【０１０５】
ステップＳ３５においては、前記のように遠方のＰＯＩも表示できる程度の所定スケールの方向距離マークを表示し、その後この方向距離マークに表示できる程度の広さにおけるＰＯＩを検索し、その後ステップＳ３４に進んで前記と同様に、検索したＰＯＩを方向距離マーク内の対応する位置にそれぞれ表示する。
【０１０６】
前記のような処理を行う結果、このＰＯＩ表示モードにおいては、例えば図９（ｂ）に示すように、背景に表示される地図とは基準点以外は関係なく、検索したＰＯＩを画面上に表示させることができる。したがって、この時には背景となる地図は薄く表示する等によって、方向距離マークに対応して表示されるＰＯＩが見やすくなるような表示を行うことが好ましい。
【０１０７】
ＰＯＩ表示モードにおいては、図９（ａ）のような処理によって同図（ｂ）に示すような表示を行うことができるが、この表示に於いて、利用者がいずれかのＰＯＩにタッチした時、そのＰＯＩの説明を地図データベース等から取り込み、それを表示するようにしても良い。更にそのＰＯＩを指示することにより、そのＰＯＩが存在する周辺の地図を表示するようにしても良く、更にそれを目的地に設定して、ナビゲーション装置で経路の探索を行うようにしても良い。
【０１０８】
本発明は前記のように、方向距離マークを利用して、第１にワンタッチで所定の位置にスキップした地図を表示することができ、その方向距離マークを用いて前記各種のモードを行うことも可能となり、極めて有用な地図表示を行うことが可能となる。  
【符号の説明】
【０１０９】
１  方向距離マーク使用モード選択部
２  地図スクロールモード
３  等距離範囲指定モード
４  任意範囲指定モード
５  ＰＯＩ表示モード
６  方向距離マーク表示部
７  方向マーク表示部
８  距離マーク表示部
９  距離スケール変更部
１０  距離表示単位選択部
１１  ｋｍ単位
１２  徒歩○○分単位
１３  車で○○分単位
１４  表示地図縮尺選択部
１５  縮尺指示入力部
１６  指示距離対応縮尺選択部
１７  指示範囲対応縮尺選択部
１８  地図表示部
１９  現在地基準点移動部
２０  縮尺指示入力部
２１  地図データ取込部
２２  ＰＯＩデータ検索部
２３  画像出力部
２４  指定範囲設定部
２５  基準点間距離指示入力部
２６  複数地点指示範囲入力部
２７  範囲指示開始終了入力部
２８  指示地点位置入力部
２９  指示範囲検出部
３０  指示地点検出部
３１  地図データベース
３２  モニタ
【図１】
0005766076.tif 000002
【図２】
0005766076.tif 000003
【図３】
0005766076.tif 000004
【図４】
0005766076.tif 000005
【図５】
0005766076.tif 000006
【図６】
0005766076.tif 000007
【図７】
0005766076.tif 000008
【図８】
0005766076.tif 000009
【図９】
0005766076.tif 000010
【図１０】
0005766076.tif 000011